(57)【要約】【課題】土中に敷設した場合の路面沈下を防止ないし抑制することができ、また破砕ゴム片を周囲の土から分離して取り出すことも可能な破砕ゴム片の敷設利用方法を提供する。【解決手段】ジオグリッド１を枠体３の上に被せ、ジオグリッド１の長手方向の両端部側１ａを枠体３の側方に延出させる。枠体３の内側領域のジオグリッド１上に破砕ゴム片２を堆積させた後、ジオグリッド１の端部側１ａ，１ａを破砕ゴム片２の堆積物の上に折り重ねる。次いで、フォークリフトのフォーク５等の重機に取り付けた押板４で破砕ゴム片２を上方からプレスする。このようにして形成した破砕ゴム片被包体を土中に敷設する。【選択図】図１
2006307450.tif 000002
【特許請求の範囲】
【請求項１】
破砕ゴム片を土中に敷設利用する方法において、該破砕ゴム片をジオグリッドで被包すると共にプレスした後、敷設することを特徴とする破砕ゴム片の敷設利用方法。
【請求項２】
請求項１において、破砕ゴム片をジオグリッドで被包するに際し、ジオグリッドの中央部の上に破砕ゴム片を堆積させ、ジオグリッドの両端側を該破砕ゴム片の堆積物の上側に折り返すことを特徴とする破砕ゴム片の敷設利用方法。
【請求項３】
請求項２において、ジオグリッドの両端側を破砕ゴム片堆積物の上側に折り返した後、該破砕ゴム片堆積物及びジオグリッドを上方からプレスすることを特徴とする破砕ゴム片の敷設利用方法。
【請求項４】
請求項３において、押板によって破砕ゴム片堆積物及びジオグリッドをプレスすることを特徴とする破砕ゴム片の敷設利用方法。
【請求項５】
請求項２ないし４のいずれか１項において、破砕ゴム片堆積物をジオグリッドで被包するに際し、ジオグリッドを枠体の上側に被せると共に、ジオグリッドの両端側を枠体の側方に延出させ、
該枠体の内側領域のジオグリッド上に破砕ゴム片を堆積させることを特徴とする破砕ゴム片の敷設利用方法。
【請求項６】
請求項５において、該枠体はコ字形状であることを特徴とする破砕ゴム片の敷設利用方法。
【請求項７】
破砕ゴム片を土中に埋設した破砕ゴム片の敷設利用構造において、該破砕ゴム片がジオグリッドで被包されると共にプレスされていることを特徴とする破砕ゴム片の敷設利用構造。
【請求項８】
請求項７において、破砕ゴム片の堆積物がジオグリッドの中央部に堆積され、ジオグリッドの両端側が破砕ゴム片堆積物の上側に折り返されることにより破砕ゴム片堆積物がジオグリッドで被包されていることを特徴とする破砕ゴム片の敷設利用構造。
【発明の詳細な説明】
【技術分野】
【０００１】
本発明は、破砕ゴム片の敷設利用方法及び構造に関するものであり、特に破砕ゴム片をジオグリッドで被包して敷設するようにした破砕ゴム片の敷設利用方法及び構造に関する。
【背景技術】
【０００２】
廃タイヤチップ、シュレッズなどの破砕ゴム片が地盤材料として有効なことが試験施工を通じて実証されており、土木分野での廃タイヤシュレッズの使用量が急増している。
【０００３】
地盤補強等のためにジオグリッドと称される格子状シートが用いられている。従来、ジオグリッドにはプラスチック製の格子状シートや合成繊維、特にビニロンを主体としたメッシュ編み織布に塩化ビニル樹脂などを含浸付与したテキスタイルジオグリッドが使用されている。例えば合成繊維フィラメント糸で織編された格子状繊維シートにポリ塩化ビニル樹脂を含浸被覆した土木用格子状シートが実公平２−１７０３０号公報などに提案されている。
【特許文献１】実公平２−１７０３０号公報
【発明の開示】
【発明が解決しようとする課題】
【０００４】
タイヤシュレッズなどの破砕ゴム片を路盤・路床等に使用した場合、施工後の路面沈下がじわじわと続き、安定まで２ヶ月前後を要したとの報告もある。沈下が落ち着くまで上部の舗装施工を待たねばならないなどこの課題は実際の適用で少なからぬ障害である。
【０００５】
また、破砕ゴム片と周辺の土が混じり合い、土地利用が変わってしまうところから、２次リサイクルする場合などに、破砕ゴム片だけを混じり気なしで取り出すことが難しい。
【０００６】
本発明は、上記従来の問題点を解消し、土中に埋設した場合の路面沈下を防止ないし抑制することができ、また破砕ゴム片を周囲の土から分離して取り出すことも可能な破砕ゴム片の敷設利用方法及び構造を提供することを目的とする。
【課題を解決するための手段】
【０００７】
請求項１の破砕ゴム片の敷設利用方法は、破砕ゴム片を土中に敷設利用する方法において、該破砕ゴム片をジオグリッドで被包すると共にプレスした後、敷設することを特徴とするものである。
【０００８】
請求項２の破砕ゴム片の敷設利用方法は、請求項１において、破砕ゴム片をジオグリッドで被包するに際し、ジオグリッドの中央部の上に破砕ゴム片を堆積させ、ジオグリッドの両端側を該破砕ゴム片の堆積物の上側に折り返すことを特徴とするものである。
【０００９】
請求項３の破砕ゴム片の敷設利用方法は、請求項２において、ジオグリッドの両端側を破砕ゴム片堆積物の上側に折り返した後、該破砕ゴム片堆積物及びジオグリッドを上方からプレスすることを特徴とするものである。
【００１０】
請求項４の破砕ゴム片の敷設利用方法は、請求項３において、押板によって破砕ゴム片堆積物及びジオグリッドをプレスすることを特徴とするものである。
【００１１】
請求項５の破砕ゴム片の敷設利用方法は、請求項２ないし４のいずれか１項において、破砕ゴム片堆積物をジオグリッドで被包するに際し、ジオグリッドを枠体の上側に被せると共に、ジオグリッドの両端側を枠体の側方に延出させ、該枠体の内側領域のジオグリッド上に破砕ゴム片を堆積させることを特徴とするものである。
【００１２】
請求項６の破砕ゴム片の敷設利用方法は、請求項５において、該枠体はコ字形状であることを特徴とするものである。
【００１３】
請求項７の破砕ゴム片の敷設利用構造は、破砕ゴム片を土中に埋設した破砕ゴム片の敷設利用構造において、該破砕ゴム片がジオグリッドで被包されると共にプレスされていることを特徴とするものである。
【００１４】
請求項８の破砕ゴム片の敷設利用構造は、請求項７において、破砕ゴム片の堆積物がジオグリッドの中央部に堆積され、ジオグリッドの両端側が破砕ゴム片堆積物の上側に折り返されることにより破砕ゴム片堆積物がジオグリッドで被包されていることを特徴とするものである。
【発明の効果】
【００１５】
本発明の破砕ゴム片の敷設利用方法及び構造によると、破砕ゴム片をジオグリッドで被包してから敷設するため、破砕ゴム片を周囲の土と分離して取り出すこともできる。また、破砕ゴム片だけでなくジオグリッドも敷設されるので、地盤がジオグリッドによって補強される。
【００１６】
この破砕ゴム片をジオグリッドで被包する際にプレスを加えることにより、敷設後の路面等の沈下を防止ないし抑制することができる。
【００１７】
破砕ゴム片をジオグリッドで被包するには、ジオグリッドの中央部に破砕ゴム片を堆積させ、ジオグリッドの両端側を破砕ゴム片の堆積物の上側に折り返して重ねた後、プレスするのが好ましい。
【００１８】
破砕ゴム片の堆積物をジオグリッドで被包するべくプレスする場合、枠体を用いることにより、プレス時に破砕ゴム片が側方に逃げることを防止することができる。
【発明を実施するための最良の形態】
【００１９】
以下、図面を参照して実施の形態について説明する。図１は実施の形態に係る破砕ゴム片の敷設利用方法及び構造に採用される破砕ゴム片の被包及びプレス方法を示す斜視図である。
【００２０】
長方形状のジオグリッド１を枠体３の上に被せ、ジオグリッド１の長手方向の両端部側１ａを枠体３の側方に延出させる。
【００２１】
枠体３の内側領域のジオグリッド１上に破砕ゴム片２を堆積させた後、ジオグリッド１の端部側１ａ，１ａを破砕ゴム片２の堆積物の上に折り重ねる。次いで、フォークリフトのフォーク５等の重機に取り付けた押板４で破砕ゴム片２を上方からプレスする。
【００２２】
これにより、破砕ゴム片２の堆積物が堆積厚み方向に押し縮められると共に、ジオグリッド１で被包された被包体となる。なお、枠体３を用いているので、プレス時に破砕ゴム片２が側方へ逃げることが防止され、十分にプレスされる。
【００２３】
この被包体を土中に敷設利用した場合、破砕ゴム片２の堆積物は十分にプレスされているので、路面等の沈下は全く又は殆ど生じない。また、破砕ゴム片だけでなくジオグリッドも敷設されるため、地盤が補強される。
【００２４】
この被包体が埋設されている地中から被包体を掘り出す際には、被包体を土と分離して取り出すこともでき、破砕ゴム片のみを単体に近い形で取り出すことができ、再利用が容易となる。
【００２５】
なお、この実施の形態では、枠体３として、一辺が開放した、平面視形状がコ字形のものを用いているので、押板４で破砕ゴム片堆積物及びジオグリッドをプレスする際に、枠体３が空いている側にフォーク５を配置させることにより、フォーク５が枠体３に当ることがない。そのため、押板４によって破砕ゴム片堆積物２を十分にプレスすることができる。
【００２６】
また、枠体３の一辺が開放しているから、枠体３を図１の左上方向に退動させるようにして取り外すことができる。枠体３をそのままとしておいて、被包体を枠体３の空いている辺の部分から図の右下方向へスライドさせるように取り出すこともできる。
【００２７】
上記の被包作業は、敷設施工現場で行ってもよく、廃タイヤ処理施設など他の箇所で行ってもよい。敷設施工現場で被包作業を行う場合、埋設予定箇所に枠体３を配置し、その上にジオグリッド１を被せ、ジオグリッド１の中央部（枠体３の内側領域）に破砕ゴム片２を盛り、ジオグリッド１の両端部側１ａを破砕ゴム片２の堆積物の上に折り被せ、次いでフォークリフト等の重機を利用し、押板４でジオグリッド１及び破砕ゴム片堆積物をプレスし、その後枠体３を取り去ってもよい。このようにすれば、被包体を形成した後、被包体を移動させることが不要となる。
【図面の簡単な説明】
【００２８】
【図１】実施の形態に係る破砕ゴム片の敷設利用方法及び構造に採用される破砕ゴム片の被包及びプレス方法を示す斜視図である。
【符号の説明】
【００２９】
１  ジオグリッド
２  破砕ゴム片
３  枠体
４  押板
５  フォーク
【図１】
2006307450.tif 000003